(57)【要約】【課題】小便の雫がマットや床面に飛散するのを抑えて床面の汚れを防止し、マットの取替え頻度も軽減される。【解決手段】起立姿勢での小便の用に供する便器Ｕに使用するための便器用マットＭであって、便器Ｕの前方位置の床面Ｆ上に置かれ、床面Ｆ上に置かれた状態でマット本体１の上面４１ａ，４１ｂが便器方向へ向かって下り傾斜するように成形されている。マット本体１は左右の側縁１３，１４および後縁１２を除いた中央部にマット載置面が形成されて、当該マット載置面上に吸水マット２が載置されている。【選択図】        図１
2013009714.tif 000002
【特許請求の範囲】
【請求項１】
起立姿勢での小便の用に供する便器に使用するための便器用マットであって、前記便器の前方位置の床面上に置かれ、床面上に置かれた状態でマット本体の上面が便器方向へ向かって下り傾斜するように成形されていることを特徴とする便器用マット。
【請求項２】
前記マット本体は少なくとも左右の側縁を除いた中央部にマット載置面が形成されて、当該マット載置面上に吸水マットが載置されるようになっている請求項１に記載の便器用マット。
【請求項３】
前記マット本体は左右に分離された足置き部とこれら足置き部を連結する連結部より構成されており、前記各足置き部の上面が便器方向へ向かって下り傾斜するように成形されている請求項１に記載の便器用マット。
【発明の詳細な説明】
【技術分野】
【０００１】
本発明は便器用マットに関し、特に起立姿勢で小便の用に供する便器について使用する便器用マットに関する。
【背景技術】
【０００２】
公共施設やホテル等では個室内に設置された着座姿勢で使用する便器の他に、起立姿勢で小便の用に供する便器が設置されている。ところが、このような便器では、小便の雫によって床面が汚れやすいために、特にホテル等においては便器用マットが使用されることが多い。例えば特許文献１には、吸水性紙、ないし吸水層と非吸水層の二層構造からなるシートで構成されて便器手前の床面上に置かれる便器用マットが示されている。
【０００３】
ところで、便器用マットを使用すれば床面の汚れは改善されるものの、今度はマット自体が小便の雫で汚れるために頻繁な取替えが必要になるという問題がある。また、便器用マットと便器の前縁との間に隙があると、この部分から床面に小便が染み出るという問題があり、これに対しては、立ち上がり舌片を設け（特許文献２）、被せ布を設け（特許文献３）、あるいは襟部を設ける（特許文献４）等の対策が提案されている。
【先行技術文献】
【特許文献】
【０００４】
【特許文献１】特開２００２−１６５７２９
【特許文献２】特開２００１−２５８８０１
【特許文献３】特開２００４−１６３０１
【特許文献４】特開２００９−１８３３６１
【発明の概要】
【発明が解決しようとする課題】
【０００５】
ところが特許文献２〜４に記載の対策を施こすことはマットの製造コストを上昇させるという問題があり、結局はマットの上面に人が立つ位置を示す足形を描いたり、「一歩前へ」等の文字を記載して、用を足す際に使用者が便器に近づくように注意を促すようにしている（特許文献１の［０００５］欄）。しかし、足形や注意書きがあっても多くの使用者はこれを無視して、便器に近づくことなく小便の用を足す場合が多く、便器用マット取替えの手間はそれほど軽減されないという問題があった。
【０００６】
そこで、本発明はこのような課題を解決するもので、起立姿勢で小便の用に供する便器に使用され、小便の雫がマットや床面に飛散するのを抑えて床面の汚れを防止し、マットの取替え頻度も軽減される便器用マットを提供することを目的とする。
【課題を解決するための手段】
【０００７】
上記目的を達成するために本第１発明では、起立姿勢での小便の用に供する便器（Ｕ）に使用するための便器用マット（Ｍ）であって、前記便器（Ｕ）の前方位置の床面（Ｆ）上に置かれ、床面（Ｆ）上に置かれた状態でマット本体（１，３，４）の上面（１３ａ，１４ａ，３ａ，４１ａ，４１ｂ）が便器方向へ向かって下り傾斜するように成形されていることを特徴とする。
【０００８】
本第１発明において、小便の用を足す使用者はマット本体の上面上に両足をそれぞれ乗せる。上面は前方の便器方向へ適宜角度で下り傾斜する傾斜面となっているから、両足を載せた状態の使用者は自然に腰の位置が前方へ移動して無意識に便器方向へ接近させられる。これにより、使用者が十分に便器に接近して用を足すようになるから、小便の雫は殆どが便器内に落下し、便器外へ飛散する量は極めて少なくなる。これにより、床面の汚れが防止されるとともに、便器用マットの頻繁な取替えも軽減される。
【０００９】
本第２発明では、前記マット本体（１）は少なくとも左右の側縁（１３，１４）を除いた中央部（１５）にマット載置面（１５ａ）が形成されて、当該マット載置面（１５ａ）上に吸水マット（２）が載置されるようになっている。
【００１０】
本第２発明においては、便器外へ飛散した雫が吸水マットによって効率的に浸透捕捉されるから、マット本体や床面の汚れが更に抑えられる。
【００１１】
本第３発明では、前記マット本体（４）は左右に分離された足置き部（４１，４２）とこれら足置き部（４１，４２）を連結する連結部（４３）より構成されており、前記各足置き部（４１，４２）の上面（４１ａ、４２ａ）が便器方向へ向かって下り傾斜するように成形されている。
【００１２】
本第３発明においては、連結部の形状を種々変更することが可能であるから便器用マットのデザイン上の自由度が向上する。
【００１３】
なお、上記カッコ内の符号は、後述する実施形態に記載の具体的手段との対応関係を示すものである。
【発明の効果】
【００１４】
以上のように、本発明の便器用マットによれば、小便の雫がマットや床面に飛散するのが抑えられて床面の汚れが防止されるとともに、マットの頻繁な取替えも不要となる。
【図面の簡単な説明】
【００１５】
【図１】本発明の第１実施形態における、便器用マットを付設した便器を前方から見た斜視図である。
【図２】マット本体の全体平面図である。
【図３】図２のIII−III線に沿った断面図である。
【図４】吸水マットの全体平面図である。
【図５】吸水マットを装着した状態の便器用マットの断面図である。
【図６】本発明の第２実施形態における、便器用マットを付設した便器を前方から見た斜視図である。
【図７】本発明の第３実施形態における、便器用マットを付設した便器を前方から見た斜視図である。
【発明を実施するための形態】
【００１６】
以下に説明する実施形態はあくまで一例であり、本発明の要旨を逸脱しない範囲で当業者が行う種々の設計的改良も本発明の範囲に含まれる。
【００１７】
［第１実施形態］
図１には本発明の第１実施形態における便器用マットＭを付設した状態の便器Ｕを示す。便器ＵはフロアＦ上に起立姿勢で設置されている陶器製のもので、前方へ開放する縦長の容器状をなし、下端部Ｕ１は小便を受けるために前方へ平面視で山型に張り出した深皿状となっている。
【００１８】
このような便器Ｕが置かれた床面Ｆは水平になっており、便器Ｕ前方の床面Ｆ上に便器用マットＭが置かれている。便器用マットＭはその本体１全体がゴム材の一体成形で製造されている。マット本体１の全体平面図を図２に示す。図２において、マット本体１は各コーナを緩やかに面取りした略四角形の板体で、その前縁（図２の上縁）１１の中央部１１１は、便器下端部Ｕ１の張り出しを受け入れるように円弧状に後方へ凹陥している。マット本体１は図３に示すように全体の肉厚が後縁１２から前縁１１へ漸次薄くなっている。
【００１９】
マット本体１は、前縁１１の中央部１１１を除いた左右の側縁１３，１４と後縁１２が前方へ向かってＵ字状に残されており、Ｕ字状をなす両側縁の上面１３ａ，１４ａは前方へ下り傾斜する傾斜面となっている。上記上面１３ａ，１４ａの傾斜角度は４°〜５°程度が好ましい。なお、マット本体１の寸法の一例は、横６００ｍｍ、縦４５０ｍｍ、前縁１１の厚み３．５ｍｍ、後縁１２の厚み２５ｍｍである。
【００２０】
Ｕ字状に残された両側縁１３，１４と後縁１２に囲まれたマット本体１の中央内部１５は一段と低くなって、前縁中央部１１１に連続する水平面状のマット載置面１５ａとなっている。なお、マット載置面１５ａを囲む両側縁１３，１４および後縁１２との間の段付き部には、両側面と後側面にそれぞれ吸水マット係止用の矩形凹部１６が形成されている。
【００２１】
図４には、マット載置面に設置される吸水マット２の平面図を示す。吸水マット２はマット載置面１５ａとほぼ同形の平面形状をした板体で、その両側面と後側面には上記矩形凹部１６に対応する位置に、これら矩形凹部１６に挿入できる形状の矩形突起２１が形成されている。吸水マット２をマット本体１に装着する場合には、吸水マット２を適当に湾曲させてその矩形突起２１をマット本体１の矩形凹部１６内に挿入し、吸水マット２の下面をマット載置面１５ａに当接させる。この状態で吸水マット２は、矩形凹部１６内に挿入された矩形突起２１によって前方へずれることなく位置決めされる（図５）。
【００２２】
このような構造の便器用マットにおいて、小便の用を足す使用者はマット本体１の左右の側縁１３，１４の上面１３ａ，１４ａ上に両足をそれぞれ乗せる。この際、上面１３ａ，１４ａは前方の便器Ｕ方向へ適宜角度で下り傾斜する傾斜面となっているから、マット本体１上に両足を載せた状態の使用者は自然にその腰の位置が前方へ移動して無意識に便器Ｕ方向へ接近させられる。これにより、使用者が十分に便器Ｕに接近して用を足すようになるから、小便の雫は殆どが便器Ｕ内に落下し、便器Ｕ外へ飛散する量は極めて少なくなる。便器Ｕ外へ飛散した雫は吸水マット２に浸透捕捉されるが、その量は充分少ないため、吸水マット２の取替え頻度を大幅に少なくすることができる。また、マット本体１は全体が比較的単純な形状であるから汚れ落しのための洗浄を簡単に行うことができる。
【００２３】
［第２実施形態］
図６には本発明の第２実施形態における便器用マットＭを付設した状態の便器Ｕを示す。便器Ｕの構造は第１実施形態と同様である。本実施形態における便器用マットＭでは、マット本体３に第１実施形態におけるマット載置面１５ａが形成されておらず、したがって、吸水マット２は設けられていない。マット本体３はゴム材よりなる単純な略四角形の板体で、その上面３ａ全体が前方の便器Ｕ方向へ下り傾斜する傾斜面となっている。
【００２４】
このような構造の便器用マットＭで小便の用を足す場合、使用者はマット本体３の上面３ａ上の左右位置に両足を乗せると自然に腰の位置が前方へ移動して無意識に便器方向へ接近させられる。これにより、使用者は十分に便器Ｕに接近して用を足すようになり、小便の雫は殆どが便器Ｕ内に落下して、便器Ｕ外へ飛散する量は極めて少なくなる。したがって、マット本体３上に多少の雫が飛散しても汚れは少なく、便器用マットＭの交換の頻度を大幅に少なくできる。また、本実施形態における便器用マットＭはマット本体３の形状が非常に単純であるから製造コストが安い上に、汚れ落しの洗浄も極めて容易に行うことができる。
【００２５】
［第３実施形態］
図７には本発明の第３実施形態における便器用マットＭを付設した状態の便器Ｕを示す。便器Ｕの構造は第１実施形態と同様である。本実施形態における便器用マットＭでは、マット本体４はゴム材の一体成形品で、左右の足置き部４１，４２とこれらを連結する連結部４３より構成されている。各足置き部４１，４２は前後方向へ延びる長方形の板体で、その上面４１ａ，４２ａは前方の便器方向へ下り傾斜する傾斜面となっている。連結部４３は左右端がそれぞれ足置き部４１，４２の側面に連続する薄肉水平板状となっており、これの上に平面視で同形とした吸水マット５が載置されている。
【００２６】
このような構造によれば、小便の用を足す使用者が左右の足置き部４１，４２の上面４１ａ，４２ａに両足をそれぞれ乗せると自然に使用者の腰の位置が前方へ移動して無意識に便器方向へ接近させられる。これにより、使用者は十分に便器Ｕに接近して用を足すようになり、小便の雫は殆どが便器Ｕ内に落下して、便器Ｕ外へ飛散する量は極めて少なくなる。したがって、図７に示すようにマット載置部４３が便器Ｕからある程度離れていても床面Ｆの汚れは少なく、したがって、本実施形態に示すように便器用マットＭのデザイン上の自由度が向上する。
【００２７】
なお、第１実施形態におけるマット載置面は必ずしも水平面にする必要はなく、第２実施形態における前方へ傾斜するマット本体上面の中央部をマット載置面としても良い。また、第３実施形態における連結部上に吸水マットを載置する必要は必ずしも無い。さらに、便器の構造は上記実施形態のものに限られず、例えば便器が壁に掛かっていて、床面との間に空間を形成しているような構造の便器にも本発明を適用することができる。
【符号の説明】
【００２８】
１…マット本体、１１…前縁、１２…後縁、１３…側縁、１３ａ…上面、１４…側縁、１４ａ…上面、１５…中央内部、１５ａ…マット載置面、２…吸水マット、３…マット本体、３ａ…上面、４…マット本体、４１，４２…足置き部、４１ａ，４２ａ…上面、５…吸水マット、Ｍ…便器用マット、Ｕ…便器。
【図１】
2013009714.tif 000003
【図２】
2013009714.tif 000004
【図３】
2013009714.tif 000005
【図４】
2013009714.tif 000006
【図５】
2013009714.tif 000007
【図６】
2013009714.tif 000008
【図７】
2013009714.tif 000009